(57)【要約】【課題】  視覚障害者に対して可変の情報を出力する場合に点字ディスプレイと呼ばれる装置があるが、周囲が囲われていない場合には、点字ディスプレイ上に表示されている点字を覗き見される可能性がある。【解決手段】  盤にあいた穴から棒を出没させ点字を出力する装置であって、掌・指など人体の一部が盤に近づいたあるいは触れたことをセンサーが検知すると、そのセンサーが特定した箇所およびその近傍の箇所の棒のみ突出させる。【選択図】  図１
2006084946.tif 000002
【特許請求の範囲】
【請求項１】
盤にあいた穴から棒を出没することを可能にする機構を具備し、その機構を計算機にて制御して動的に点字を出力する装置であって、掌・指など人体の一部が盤のどの個所に近づいたあるいは触れたことを検知するセンサーを具備し、計算機から棒が突出するよう指示があった場合に、そのセンサーが特定した個所およびその近傍の個所の棒のみ突出することを特徴とする情報出力装置。
【請求項２】
キーやボタンを押下して計算機に意思を伝える入力装置であって、各キーの表面にあいた穴から棒を出没することを可能にする機構を備え、その機構を計算機にて制御して各キーの表す意味を動的に変更できる仕組みを備え、特定の入力シーケンスが始まる前にすべてのキーの意味を入力装置全体で一意となるようにランダムに変更して棒の突出・引っ込みにてキーの意味を表現することを特徴とする情報入力装置。
【請求項３】
上記請求項２の装置であって、掌・指など人体の一部が触れた、近づいたあるいは覆い被さったキーを特定するセンサーを具備し、該当するキーの表面にのみそのキーの意味を表す点字を表出するようにしたことを特徴とする情報入力装置。
【発明の詳細な説明】
【技術分野】
【０００１】
本発明は、視覚障害者が用いる入出力装置からの情報漏洩に対するセキュリティに関するものである。
【背景技術】
【０００２】
従来の視覚障害者が用いるための暗証番号入力装置は、各キーの表面に複数の出没自在なピンがマトリクス状を配置し、動作信号をピンのアクチュエータに送信することで所定のピンを突出させる点字情報形成部を設け、視覚障害者が視覚障害者であることを宣言するキーを押下することでそれらのピンを突出させて、視覚障害者が確実に所望の番号を押下できるよう配慮している（例えば、特許文献１参照。）。
【特許文献１】特開2001-34397
【発明の開示】
【発明が解決しようとする課題】
【０００３】
世間のセキュリティ志向の高まりを受け、これまで考えられていないような場所・場面で暗証番号の入力を求められるようになった。例えば、複写機や複合機を使用する際に入力を求められるパスワードや携帯電話からクレジットカードの暗証番号を入力する場面がその一例である。このように最近暗証番号入力が求められるようになった場所では、セキュリティに対する配慮・意識が薄く、セキュリティへの配慮が高い場所、たとえば銀行のATMや選挙の投票所、のようにブースで周りを囲われていないため、第三者が比較的容易に暗証番号を打ち込んでいる手元を覗き見することができる。健常者であればそうした覗き見に気づくことができ、追い払うなどの対応策をとることが出来る。しかし、視覚障害者はそのような覗き見に気づくことが難しく、不安感を持ちながら暗証番号の入力を行わなければいけない。
【０００４】
また、人間はそれほど多くの暗証番号を覚えられるわけではないので、そのような環境面でセキュリティ対策が施されていない場所で用いる暗証番号を、銀行口座のような重要な暗証番号と同じものを流用しているケースが多い。したがって暗証番号を打ち込む動作を覗き見られ分析されて、打ち込んだ番号を見破られた場合に甚大な被害を招くという事態が想定される。
【０００５】
更にそのようなパスワードで保護された入力を求められる装置では、装置が操作者に対して出力する情報も、例えば取引金額のような、秘匿すべき情報であることが多い。視覚障害者に対して可変の情報を出力する場合には点字ディスプレイと呼ばれる、小さなピンを盤面の穴から突出させて点字を形成する装置が一般的である。しかし周囲が囲われていない場合には、点字ディスプレイ上に表出している点字を健常者に覗き見られる可能性が非常に高くなる。
【課題を解決するための手段】
【０００６】
上述した課題を解決するために、請求項１の発明は、穴のあいた盤と棒にから構成され動的に点字を形成する機構と、点字形成部を監視するセンサーと、そのセンサーによって点字形成部のどの個所に指などが覆い被さった状態であるかを判定する手段と、その個所の点字を形成するための駆動部のみを動作させる制御手段と、を備える。
【０００７】
したがって、第三者から見えやすい位置にある点字形成部と見えにくい位置にある形成部を特定し、見えやすい位置にある点字形成部の駆動部は動作させないようにすることで、第三者に点字による情報が露出することを避けて、情報の漏洩を防ぐことができる。
【０００８】
上述した課題を解決するために、請求項２の発明は、各キーの表面にあいた穴から棒を出没することを可能にする機構と、その機構を計算機にて制御して各キーの表す意味を動的に変更できる制御手段と、特定の入力シーケンスが始まることを前もって判定する手段と、それぞれのキーに対してキーの意味を入力装置全体で一意となるようにランダムに決定する手段と、を備える。
【０００９】
したがって、点字を理解する第三者がその入力装置を使ってそのときのキーの配置を記憶・記録し、その後に視覚障害者が入力装置に入力する際の手の動きを覗き見て解析したとしても、入力装置のキーの配置は変更されているため、入力した内容が漏洩することを防ぐことができる。
【００１０】
上述した課題を解決するために、請求項３の発明は、各キーの表面にあいた穴から棒を出没することを可能にする機構と、その機構を計算機にて制御して各キーの表す意味を動的に変更できる制御手段と、特定の入力シーケンスが始まることを前もって判定する手段と、それぞれのキーに対してキーの意味を入力装置全体で一意となるようにランダムに決定する手段と、キー表面を監視するセンサーと、そのセンサーによってどのキーに指などが覆い被さった状態であるかを判定する手段と、そのキーの点字を形成するための駆動部のみを動作させる制御手段と、を備える。
【００１１】
したがって、点字を理解する第三者が視覚障害者が入力装置に入力する際の手の動きとキーの表面を覗き見たとしても、キーの表面の点字を完全に把握することは難しいため、入力した内容が漏洩することを防ぐことができる。
【発明の効果】
【００１２】
請求項１記載の発明による情報出力装置は、穴のあいた盤と棒にから構成され動的に点字を形成する機構と、点字形成部を監視するセンサーと、そのセンサーによって点字形成部のどの個所に指などが覆い被さった状態であるかを判定する手段と、その個所の点字を形成するための駆動部のみを動作させる制御手段と、を備える。
【００１３】
したがって、第三者から見えやすい位置にある点字形成部と見えにくい位置にある形成部を特定し、見えやすい位置にある点字形成部の駆動部は動作させないようにすることで、第三者に点字による情報が露出することを避けて、情報の漏洩を防ぐことができる。
【００１４】
請求項２記載の発明による情報入力装置は、各キーの表面にあいた穴から棒を出没することを可能にする機構と、その機構を計算機にて制御して各キーの表す意味を動的に変更できる制御手段と、特定の入力シーケンスが始まることを前もって判定する手段と、それぞれのキーに対してキーの意味を入力装置全体で一意となるようにランダムに決定する手段と、を備える。
【００１５】
したがって、点字を理解する第三者がその入力装置を使ってそのときのキーの配置を記憶・記録し、その後に視覚障害者が入力装置に入力する際の手の動きを覗き見て解析したとしても、入力装置のキーの配置は変更されているため、入力した内容が漏洩することを防ぐことができる。
【００１６】
請求項３記載の発明によれば上記請求項２記載による情報入力装置は、キー表面を監視するセンサーと、そのセンサーによってどのキーに指などが覆い被さった状態であるかを判定する手段と、そのキーの点字を形成するための駆動部のみを動作させる制御手段と、を備える。
【００１７】
したがって、点字を理解する第三者が視覚障害者が入力装置に入力する際の手の動きとキーの表面を覗き見たとしても、キーの表面の点字を完全に把握することは難しいため、入力した内容が漏洩することを防ぐことができる。
【発明を実施するための最良の形態】
【００１８】
本発明の一実施形態を示す暗証番号入力装置について図２ないし図４に基づき説明する。
【００１９】
図１は、暗証番号入力装置を表す斜視図である。この暗証番号入力装置を前面のパネルに備えたコピー機に操作者が近づくと、コピー機はそれを検知して暗証番号入力装置に入力処理初期化の信号を送る。暗証番号入力装置は、その信号を受け取るとキー割当用計算機がキーA1からD4のいずれかに０から９までの数字を割り当てる。割り当てが完了すると暗証番号入力装置は、各キーのセンサーからの入力を待つ状態に入る。操作者がキーの表面に指を近づけると、そのキーのセンサーが検知して、そのキーのピンのアクチュエータを駆動し、入力作業のはじめに割り当てられた数字の点字を形成する。もしその数字が操作者の望む数字でなければ、操作者は別のキーへと指を滑らせる。すると元のキーのセンサーが指が離れたことを検知して、そのキーの6個のピンを全て埋没させる。そして別のキー上にそのキーに割り当てられた数字の点字が形成される。このようにして操作者が所望の数字を探り当てキーを押下することを繰り返す間、暗証番号入力装置はセンサーにより監視を続け、ピンの出没動作を行う。操作者が暗証番号の入力を完了し、認証されるかあるいは拒否されると、コピー機は暗証番号入力装置に入力処理終了の信号を送る。暗証番号入力装置は、その信号を受けてすべてのピンを埋没させて動作を終了する。
【図面の簡単な説明】
【００２０】
【図１】暗証番号入力装置を表す斜視図。
【図２】暗証番号入力装置の構成概念図。
【図３】各キーの名称。
【図４】暗証番号入力のフローチャート。
【図５】ピンとセンサーの番号対応を表す図。
【符号の説明】
【００２１】
１  突出したピン
２  埋没したピン
３  キー
４  キー表面から上方の物体までの距離を測定するセンサー
５  ピンを駆動するアクチュエータ
６  駆動信号線
７  測定距離信号線
８  ピン制御用計算装置
９  外部からの出力要求信号線
１０  キー配置割当用計算装置
【図１】
2006084946.tif 000003
【図２】
2006084946.tif 000004
【図３】
2006084946.tif 000005
【図４】
2006084946.tif 000006
【図５】
2006084946.tif 000007